(57)【要約】【課題】被覆部材昇降ユニットの被覆部材を保持する保持機構が室内から視認されにくい壁構造を提供する。【解決手段】壁構造１は、光透過性の透過部材１５、１６を有する透過構造体３と、第１開口５ａを有し、透過構造体３が第１開口５ａに嵌まり込んだ状態で透過構造体３を保持する壁構造本体と、を備えている。壁構造本体は、第１開口５ａを有する外壁５と、透過構造体３の内側に配置され、透過構造体３を内側に開放するための第２開口６ａを有する内壁６と、透過構造体３の少なくとも一部を被覆するための被覆部材２４と被覆部材２４の端部が上下動可能となるように保持する保持機構２０とを有する被覆部材昇降ユニット１０と、を備えている。保持機構２０は、外壁５と内壁６の間でかつ第２開口６ａよりも上の位置に設けられている。【選択図】図２
2016160709.tif 000002
【特許請求の範囲】
【請求項１】
光透過性の透過部材を有する透過構造体と、
第１開口を有し、前記透過構造体が前記第１開口に嵌まり込んだ状態で当該透過構造体を保持する壁構造本体と、を備え、
前記壁構造本体は、
前記第１開口を有する外壁と、
前記透過構造体の内側に配置され、前記透過構造体を内側に開放するための第２開口を有する内壁と、
前記透過構造体の少なくとも一部を被覆するための被覆部材と当該被覆部材の端部が上下動可能となるように前記被覆部材を保持する保持機構とを有する被覆部材昇降ユニットと、を備え、
前記保持機構は、前記外壁と前記内壁の間でかつ前記第２開口よりも上の位置に設けられている、壁構造。
【請求項２】
前記壁構造本体は、前記外壁と前記内壁の間に設けられ、前記透過構造体を支持する構造体支持部材をさらに備え、
前記構造体支持部材は、前記透過構造体の上縁に沿って延びるとともに当該透過構造体の上縁に固定される上縁固定部を含み、
前記保持機構は、前記上縁固定部に固定されている、請求項１に記載の壁構造。
【請求項３】
前記保持機構は、前記上縁固定部に着脱可能に固定されたユニット側固定部を有する、請求項２に記載の壁構造。
【請求項４】
前記壁構造本体を下側から見て前記被覆部材と前記上縁固定部との間の隙間を覆うように設けられる外壁側横額縁と、
前記ユニット側固定部よりも内側に設けられ、前記被覆部材を保持するユニット側被取付部と、をさらに備え、
前記ユニット側被取付部は、前記ユニット側固定部の外側の端部と前記ユニット側被取付部の内側の端部との間の距離を調整可能となるように前記ユニット側固定部に取り付けられている、請求項３に記載の壁構造。
【請求項５】
前記被覆部材昇降ユニットは、前記被覆部材の端部が上下動するように前記保持機構を駆動させる駆動機構を有し、
前記駆動機構は、前記外壁と前記内壁との間でかつ前記第２開口よりも上の位置に設けられている、請求項１〜４のいずれか一項に記載の壁構造。
【請求項６】
前記壁構造本体は、前記壁構造本体を下側から見て前記外壁と前記内壁との間の隙間を覆うように設けられる横額縁をさらに備え、
前記横額縁は、前記保持機構の下部に設けられ、前記被覆部材を通すために前記横額縁を上下に貫通する貫通部を有する、請求項１〜５のいずれか一項に記載の壁構造。
【請求項７】
前記壁構造本体は、前記横額縁に取り付けられた横額縁側取付部と、前記保持機構に取り付けられたユニット側取付部と、を有し、
前記ユニット側取付部及び前記横額縁側取付部は、前記ユニット側取付部及び前記横額縁側取付部の少なくとも一方の磁力によって互いに着脱可能である、請求項６に記載の壁構造。
【発明の詳細な説明】
【技術分野】
【０００１】
本発明は、光透過性の透過部材を有する透過構造体と、当該透過構造体を保持する壁構造本体と、前記透過構造体の少なくとも一部を被覆するための被覆部材を有する被覆部材昇降ユニットと、を備える壁構造に関するものである。
【背景技術】
【０００２】
従来から、例えば、特許文献１に示されるように、開口部を有する窓用サッシ（透過構造体）と、当該窓用サッシよりも室内側に設けられた巻掛け部材（保持機構）及び当該巻掛け部材に巻き掛けられたスクリーン（被覆部材）を有する摺動式スクリーン装置（被覆部材昇降ユニット）とが知られている。
【０００３】
スクリーンは、その両端が開口部に対して上下に摺動可動となるように巻掛け部材に巻き掛けられている。また、摺動式スクリーン装置は、スクリーンの両端にそれぞれ設けられた桟と、桟の摺動を上下にガイドする各２条の桟ガイドと、を備えている。そして、一方の桟を桟ガイドに沿って上方に移動させると、他方の桟が桟ガイドに沿って下方に移動する。
【先行技術文献】
【特許文献】
【０００４】
【特許文献１】特許第５１４５２０４号公報
【発明の概要】
【発明が解決しようとする課題】
【０００５】
特許文献１に記載の摺動式スクリーン装置は、窓用サッシの内側に取り付けられるが、巻掛け部材（保持機構）が室内から目につくため、すっきりした外観が好まれる近年の住宅環境のニーズにそぐわない。
【０００６】
本発明の目的は、被覆部材昇降ユニットの被覆部材を保持する保持機構が室内から視認されにくい壁構造を提供することにある。
【課題を解決するための手段】
【０００７】
上記課題を解決するために、本発明は、光透過性の透過部材を有する透過構造体と、第１開口を有し、前記透過構造体が前記第１開口に嵌まり込んだ状態で当該透過構造体を保持する壁構造本体と、を備え、前記壁構造本体は、前記第１開口を有する外壁と、前記透過構造体の内側に配置され、前記透過構造体を内側に開放するための第２開口を有する内壁と、前記透過構造体の少なくとも一部を被覆するための被覆部材と当該被覆部材の端部が上下動するように前記被覆部材を保持する保持機構とを有する被覆部材昇降ユニットと、を備え、前記保持機構は、前記外壁と前記内壁の間でかつ前記第２開口よりも上の位置に設けられている、壁構造を提供する。
【０００８】
本発明によれば、外壁及び内壁によって内外から保持機構を覆うことができるため、室内から保持機構を視認しにくくすることができる。これにより保持機構が内壁の内側に露出している場合よりも、壁構造の見栄えを向上することができる。また、既存の構成（外壁及び内壁）を利用して保持機構を覆うことができるため、コストを増加することなく壁構造の見栄えを向上することができる。
【０００９】
前記壁構造本体は、前記外壁と前記内壁の間に設けられ、前記透過構造体を支持する構造体支持部材をさらに備え、前記構造体支持部材は、前記透過構造体の上縁に沿って延びるとともに当該透過構造体の上縁に固定される上縁固定部を含み、前記保持機構は、前記上縁固定部に固定されていることが好ましい。
【００１０】
この態様によれば、構造体支持部材により透過構造体を確実に支持することができる。また、保持機構を支持するために透過構造体を支持する構造体支持部材を用いることができるため、壁構造のコストの増加を抑制しつつ保持機構を確実に第２開口の上部に支持することができる。
【００１１】
ここで、被覆部材昇降ユニットは、耐久年数が数十年の壁構造に比して寿命が短いため、外壁及び内壁よりも頻繁にメンテナンスが必要になる。しかしながら、保持機構が外壁及び内壁に固定されていると、被覆部材昇降ユニットのメンテナンスが困難となる。
【００１２】
そこで、前記保持機構は、前記上縁固定部に着脱可能に固定されたユニット側固定部を有することが好ましい。
【００１３】
この態様によれば、保持機構を上縁固定部に対して着脱可能に固定することができる。
【００１４】
これによりメンテナンスの際には被覆部材昇降ユニットを構造体支持部材から取り外すことができる。
【００１５】
上記壁構造は、壁構造本体を下側から見て被覆部材と上縁固定部との間の隙間を覆うように設けられる外壁側横額縁と、ユニット側固定部よりも内側に設けられ、被覆部材を保持するユニット側被取付部と、をさらに備え、ユニット側被取付部は、ユニット側固定部の外側の端部とユニット側被取付部の内側の端部との間の距離を調整可能となるようにユニット側固定部に取り付けられている。
【００１６】
この態様によれば、ユニット側固定部に対して、被覆部材を保持するユニット側被取付部を内壁側に移動させることにより、被覆部材と内壁との間の幅が狭められるため、この幅を介して室内から保持機構をさらに視認しにくくすることができる。なお、内壁と被覆部材との間を別部材で覆ってもよい。一方、上記ユニット側被取付部の移動により上縁固定部と被覆部材との間の幅が広がるが、この幅は外壁側横額縁によって覆い隠される。
【００１７】
また、被覆部材昇降ユニットの取り外しに際して、ユニット側固定部の外側の端部の上縁固定部への接触により発生する摩擦力及びユニット側被取付部の内側の端部の内壁への接触により発生する摩擦力に起因して保持機構を取り外しにくくなることがある。
【００１８】
しかし、保持機構の幅（ユニット側固定部の外側とユニット側被取付部の内側との間の距離）を縮小することができるため、上縁固定部と内壁の間から被覆部材昇降ユニットをスムーズに通すことができる。
【００１９】
また、被覆部材昇降ユニットは、前記被覆部材の端部が上下動するように前記保持機構を駆動させる駆動機構を有し、当該駆動機構は、前記外壁と前記内壁との間でかつ前記第２開口よりも上の位置に設けられていることが好ましい。
【００２０】
この態様によれば、駆動機構によって被覆部材を自動で上下動させることができる上に、内壁によって駆動機構を内側から覆うことができるため、室内から駆動機構を視認しにくくすることができる。これにより駆動機構が内壁の内側に露出している場合よりも、壁構造の見栄えを向上することができる。
【００２１】
また、壁構造本体は、前記壁構造本体を下側から見て前記外壁と前記内壁との間の隙間を覆うように設けられる横額縁をさらに備え、横額縁は、前記保持機構の下部に設けられ、前記被覆部材を通すために前記横額縁を上下に貫通する貫通部を有することが好ましい。
【００２２】
この態様によれば、壁構造本体を下側から見たときに見える保持機構を横額縁によって隠すことができるため、壁構造の見栄えを向上させることができる。
【００２３】
壁構造本体は、前記横額縁に取り付けられた横額縁側取付部と、前記保持機構に取り付けられたユニット側取付部と、を有し、前記ユニット側取付部及び前記横額縁側取付部は、前記ユニット側取付部及び前記横額縁側取付部の少なくとも一方の磁力によって互いに着脱可能であることが好ましい。
【００２４】
この態様によれば、横額縁をユニット側固定部に対して磁力によって着脱することができることから、被覆部材昇降ユニットをメンテナンスする際に、被覆部材昇降ユニットを下側に開放することができる。
【発明の効果】
【００２５】
本発明によれば、被覆部材昇降ユニットの被覆部材を保持する保持機構が室内から視認されにくい壁構造を提供することができる。
【図面の簡単な説明】
【００２６】
【図１】本発明の実施形態に係る壁構造の全体構成を示す斜視図であり、被覆部材昇降ユニット及び横額縁を省略したものである。
【図２】図１に示す壁構造の側面断面図である。
【図３】ユニット側固定部及びユニット側被取付部の動作を示す図であり、（Ａ）はユニット側固定部及びユニット側被取付部の距離を最も近づけたときの状態を示し、（Ｂ）は距離を最も離した時の状態を示している。
【図４】図２のＩＶ−ＩＶ線断面図である。
【図５】図２のＶ−Ｖ線断面図である。
【図６Ａ】図２に示す壁構造から外壁側横額縁を取り外した後の状態を示す側面断面図である。
【図６Ｂ】上縁固定部から内壁側取付部に向けてユニット側固定部を動かした後の状態を示す側面断面図である。
【図６Ｃ】図２に示す壁構造から被覆部材昇降ユニットを取り外している様子を示す側面断面図である。
【発明を実施するための形態】
【００２７】
以下添付図面を参照しながら、本発明の実施の形態について説明する。なお、以下の実施の形態は、本発明を具体化した例であって、本発明の技術的範囲を限定する性格のものではない。
【００２８】
＜実施形態（図１〜図６）＞
図１を参照して、本発明の実施形態に係る壁構造１の基本的構成について説明する。なお、図１では、後述する被覆部材昇降ユニット１０及び横額縁１３が省略されている。
【００２９】
壁構造１は、光透過性の透過部材（障子）１５、１６を有する透過構造体３と、第１開口５ａを有し、透過構造体３が第１開口５ａに嵌まり込んだ状態で当該透過構造体３を保持する壁構造本体（符号省略）と、を備えている。透過構造体３は、開口部Ｏを有する略矩形の枠体１４と、この枠体１４内に取り付けられた透過部材（障子）１５、１６とを備えている。
【００３０】
以下の説明では、透過構造体３を基準として室外側を外側とし、室内側を内側とする。なお、透過構造体３は、図１、図２及び図６Ａ〜Ｃにおいて、引き違い窓によって構成されているものを示しているが、折り戸を採用してもよいし、このような開閉可能な構造体のみに限定されず、透過部材１５、１６を有するものである限り特に限定されない。透過部材１５、１６は、光透過性を示す材料で構成されるものであれば特に限定されず、典型的にはガラス、プラスチック等が用いられる。
【００３１】
枠体１４は、上下方向に延びるとともに互いに平行する一対の縦枠１４ａ、１４ｂと、縦枠１４ａ、１４ｂの上端部同士の間で横方向に延びる横枠１４ｃと、縦枠１４ａ、１４ｂの下端部同士の間で横方向に延びる横枠１４ｄと、を備えている。
【００３２】
壁構造本体（符号省略）は、横方向に延びるとともに互いに平行する上下一対の梁２と、梁２同士の間に設けられて透過構造体３を支持する構造体支持部材４と、第１開口５ａを有するとともに構造体支持部材４の外側に設けられた外壁５と、構造体支持部材４の内側に設けられた内壁６と、内壁６の外側に設けられて内壁６を支持する内壁支持部材７と、下の梁２上に支持された床材８と、上の梁２から吊り下げられた天井材９と、を備えている。
【００３３】
構造体支持部材４は、枠体１４の一方の側縁（縦枠１４ａ）に沿って延びる側縁固定部４ａと、枠体１４の他方の側縁（縦枠１４ｂ）に沿って延びる側縁固定部４ｂと、枠体１４の上縁（横枠１４ｃ）に沿って延びる上縁固定部４ｃと、を備えている。
【００３４】
図１及び図２を参照して、上縁固定部４ｃは、ボルトＢ１（図２参照）によって横枠１４ｃ（枠体１４の上縁）に固定されている。同様にして、側縁固定部４ａ、４ｂは、縦枠１４ａ、１４ｂにそれぞれ固定されている。
【００３５】
両側縁固定部４ａ、４ｂは、上の梁２に固定された上端部と、下の梁２に固定された下端部とを有する。上縁固定部４ｃは、両側縁固定部４ａ、４ｂ同士の間に設けられており、両側縁固定部４ａ、４ｂにそれぞれ固定された一対の端部を有している。これにより、両側縁固定部４ａ、４ｂと上縁固定部４ｃと下の梁２との間には、開口４ｅが形成されている。
【００３６】
図２を参照して、上縁固定部４ｃは、上縁固定部本体と、Ｌ字型の上縁側固定部３１と、平板状の平面部材３２とを有する。上縁側固定部３１は、上縁固定部本体の上面に沿った上面部分３１ａと、上縁固定部本体の内側面に沿った内側部分３１ｂとを有する。平面部材３２は、上縁側固定部３１の上面に沿って設けられており、内側部分３１ｂよりも内側に突出する突出部３２ａを有する。上縁側固定部３１及び平面部材３２は、ボルトＢ２（図２）によって上縁固定部本体に固定されている。
【００３７】
内壁６は、内壁本体と、透過構造体３を内側に開放するための第２開口６ａと、内壁本体の外面に設けられ、後述する保持機構２０を固定するための内壁側取付部３４と、を備えている。
【００３８】
内壁支持部材７は、第２開口６ａの一方の側縁（内壁６の側縁）に沿って延びる縦材７ａと、第２開口６ａの他方の側縁（内壁６の側縁）に沿って延びる縦材７ｂと、第２開口６ａの上縁（内壁６の下縁）に沿って延びる横材７ｃと、を備えている。
【００３９】
両縦材７ａ、７ｂは、床材８と天井材９との間に設けられ、床材８に固定された下端部と、天井材９に固定された上端部とを有する。横材７ｃは、両縦材７ａ、７ｂ同士の間に設けられており、両縦材７ａ、７ｂにそれぞれ固定された一対の端部を有している。なお、図２では、縦材７ａ、７ｂを図示せず、横材７ｃと内壁６との関係を示している。
【００４０】
壁構造１は、図２を参照して、透過構造体３の少なくとも一部を被覆する被覆部材２４と、当該被覆部材２４の端部が上下動可能となるように被覆部材を保持する保持機構２０と、図外の電源により被覆部材２４の端部が上下動するように保持機構２０を駆動させるモーター（駆動機構）２６と、を有する被覆部材昇降ユニット１０を備えている。
【００４１】
被覆部材２４は、被覆部材本体と、被覆部材本体の一端に設けられた桟２２と、桟２２に一端を固定されたケーブル２７と、を備えている。
【００４２】
保持機構２０は、ケーブル２７の他端が固定されたコーン２５と、コーン２５を回転させることによりケーブル２７を巻き取る巻取軸２１と、巻取軸２１を回転可能に支持する軸受２９と、軸受２９に固定されたブラケット２３（図５）と、を備えている。
【００４３】
モーター２６は、図５に示されるように、巻取軸２１に固定されたモーター本体と、ブラケット２３に固定され、モーター本体の駆動を出力する出力軸２８と、を有している。出力軸２８は、ブラケット２３に固定されているため、モーター２６を駆動させると、ブラケット２３に対してモーター本体（巻取軸２１）が回転する。モーター２６の駆動により、巻取軸２１が回転し、巻取軸２１の回転とともに、ケーブル２７が繰り出されるか巻き取られて、被覆部材２４の一端に固定された桟２２が上下動する。
【００４４】
具体的には、図２に示すように、モーター２６がケーブル２７を繰り出す方向に向けて回転駆動（図２においては時計回り）すると、コーン２５に巻き取られたケーブル２７が繰り出され、ケーブル２７の一端に固定された桟２２が、図２の二点鎖線で示すように下向きに移動する。このようにして被覆部材２４が第２開口６ａを被覆する方向に作動する。一方、モーター２６を上記と逆に駆動させると、ケーブル２７がコーン２５に巻き取られ、ケーブル２７の一端に固定された桟２２が上向きに移動し、被覆部材２４が第２開口６ａを開放する方向に作動する。
【００４５】
保持機構２０は、図３（Ａ）、（Ｂ）に示されるように、軸受２９及びブラケット２３を支持するユニット側被取付部３９と、ユニット側被取付部３９に取り付けられ、上端固定部４ｃに固定されるユニット側固定部３３と、を備えている。
【００４６】
ユニット側固定部３３は、上縁固定部４ｃに固定された状態で、上縁固定部４ｃに接する第１接触面３３ｅを有する。
【００４７】
ユニット側被取付部３９は、ユニット側固定部３３が上縁固定部４ｃに固定された状態で内壁６に固定された内壁側取付部３４に接する第２接触面３９ｅを有し、第１接触面３３ｅと第２接触面３９ｅとの間の距離を調整可能となるようにボルトＢ６及びナットＮ６によってユニット側固定部３３に取り付けられている。
【００４８】
ユニット側被取付部３９は、第２接触面３９ｅが内壁側取付部３４に接触した状態で、内壁側取付部３４に着脱可能に固定される。
【００４９】
ユニット側固定部３３は、ユニット側被取付部３９に取り付けられる取付部３３ｄと、取付部３３ｄから外側に延びる上側固定部３３ａと、上側固定部３３ａの外側の端部から下側に延びる延設部３３ｂと、延設部３３ｂの下端に設けられた下側固定部３３ｃと、を有する。
【００５０】
上側固定部３３ａは、ボルトＢ５（図２）によって平面部材３２の突出部３２ａと着脱可能に固定される。
【００５１】
延設部３３ｂは、ボルトＢ８によって上縁側固定部３１の内側部分３１ｂと互いに着脱可能に固定される第１接触面３３ｅを有している。
【００５２】
下側固定部３３ｃは、延設部３３ｂの下端から内側に向かって延び、後述する横額縁１３と磁力によって互いに着脱可能に固定される。
【００５３】
ナット固定部３５は、リベット（符号省略）よって上側固定部３３ａの上面に取り付けられている。
【００５４】
ナット固定部３５は、図３（Ａ）、（Ｂ）に示すように、その上面にナットＮ６の移動範囲を制限するスライド穴３５ａを有している。また、上側固定面３３ａは、ナット固定部３５のスライド穴３５ａの直下の位置に、ボルトＢ６の移動範囲を制限するスライド穴３３ａ’を有している。
【００５５】
そして、図３（Ａ）に示すように、ナットＮ６を緩めたときに、ボルトＢ６及びナットＮ６をスライド穴３３ａ’、３５ａ内でスライドさせることができ、ユニット側固定部３３を上縁固定部４ｃから内壁側取付部３４に向けて（又はその逆方向に）動かすことができる。一方、図３（Ｂ）に示すように、ナットＮ６を締め付けると、ユニット側固定部３３がユニット側被取付部３９に固定される。ナット固定部３５は、ナットＮ６のスライドを許容しつつボルトＢ６からナットＮ６が分離した時のナットＮ６の離脱を防止するために取付部３３ｄに取り付けられている。
【００５６】
内壁側取付部３４は、内壁６に当接して取り付けられる内壁接触部３４ａと、当該内壁接触部３４ａの上端から外側に延びる突起部３４ｂと、を有する。
【００５７】
突起部３４ｂは、ボルトＢ７によってユニット側被取付部３９に取り付けられている。
【００５８】
ユニット側被取付部３９は、内壁側取付部３４に当接する当接部３９ａと、内壁側取付部３４の突起部３４ｂにボルトＢ７によって固定される止め部３９ｂと、止め部３９ｂよりも上方に延びる延出部３９ｃと、を有している。
【００５９】
当接部３９ａは、ユニット側固定部３３が上縁固定部４ｃに固定された状態で内壁側取付部３４に接触する第２接触面３９ｅを有している。
【００６０】
止め部３９ｂは、図３（Ａ）、（Ｂ）に示すように、ボルトＢ７によって内壁側取付部３４の突起部３４ｂに固定される。ユニット側被取付部３９を内壁側取付部３４に固定した状態で、延出部３９ｃは内壁側取付部３４の突起部３４ｂに接触することなく、突起部３４ｂの上部に配置される。このようにしてユニット側被取付部３９が内壁側取付部３４に対して着脱可能に固定される。
【００６１】
延出部３９ｃは、内壁側取付部３４の突起部３４ａとの接触を避けるために延出部３９ｃの上面を切欠いた切欠部３９ｄ（図４）を有している。
【００６２】
壁構造本体は、図２に示されるように、壁構造本体を下側から見て外壁５と内壁６の間の隙間を覆うように設けられる横額縁１３を備えている。
【００６３】
横額縁１３は、外壁５と内壁６との間の空間を隠すための板材であり、保持機構２０の下部に設けられ、被覆部材２４を通すために横額縁１３を上下に貫通する貫通部１３ｄによって分断されている。具体的には、横額縁１３は、内壁支持部材７の横材７ｃに沿って延びる内壁側横額縁１３ａと、透過構造体３の上端側面に接して透過構造体３の上縁（横枠１４ｃ）に沿って延びる外壁側横額縁１３ｂと、を有する。横額縁１３は、図２においては、内壁側横額縁１３ａ及び外壁側横額縁１３ｂが別体のものを示しているが、内壁側横額縁１３ａ及び外壁側横額縁１３ｂが一体となって横額縁を形成していてもよい。
【００６４】
横額縁１３（外壁側横額縁１３ｂ）は、透過構造体３の上部に対して、ビスＢ９によって着脱可能に固定されている。外壁側横額縁１３ｂを取り外すことにより、被覆部材昇降ユニット１０は、上縁固定部４ｃと内壁６との間の空間を通じて下側に開放される。
【００６５】
外壁側横額縁１３ｂは、外壁側横額縁本体と、外壁側横額縁１３ｂの一方の面に取り付けられた金属片（横額縁側取付部）１３ｃと、を有している。一方、図２に示すように、ユニット側固定部３３の下側固定面３３ｃには、マグネット（ユニット側取付部）３８が取り付けられている。マグネット３８は、金属片１３ｃと対向する位置に配置されている。したがって、図２に示すように、ユニット側固定部３３（下側固定面３３ｃ）に対して外壁側横額縁１３ｂをマグネット３８の磁力によって着脱可能に取り付けることができる。
【００６６】
以下、被覆部材昇降ユニット１０の取り外しの動作について説明する。
【００６７】
図２を参照して、まず、透過構造体３と外壁側横額縁１３ｂとを固定するビスＢ９を取り外した上で、外壁側横額縁１３ｂを下側に取り外す（図６Ａ）。図６Ａに示すように、外壁側横額縁１３ｂは、ユニット側固定部３３と磁力によって互いに固定されたものであるため、ユニット側固定部３３から容易に取り外すことができる。外壁側横額縁１３ｂがユニット側固定部３３から取り外されることにより、保持機構２０が下に開放される。図６Ａの状態において、ボルトＢ７及びボルトＢ５を取り外す。
【００６８】
次に、図６Ｂに示すように、ボルトＢ８を緩めて上縁固定部４ｃから内壁側取付部３４に向けてユニット側固定部３３を動かすことにより、上縁側固定部３１の内側部分３１ｂと内壁側横額縁１３ａとの間を抜き取り可能な保持機構２０の幅に調整する。具体的には、上縁側固定部３１の内側部分３１ｂから間隔ｘだけユニット側固定部３３の第１接触面３３ｅを離すとともに、内壁側取付部３４の外側から間隔ｙだけ第２接触面３９ｅを離す。これにより、図６Ｃに示すように、保持機構２０が内壁側取付部３４及び上縁側固定部３１（内側部分３１ｂ）から離れた状態で、被覆部材昇降ユニット１０をスムーズに下側に移動させることができる。このように壁構造本体から被覆部材昇降ユニット１０を取り外すことにより、被覆部材昇降ユニット１０のみを容易にメンテナンスすることができる。なお、被覆部材昇降ユニット１０の取り付けは、上述の取り外す手順と逆の順序で作業を行えばよい。取り付けに際し、平面部材３２の突出部３２ａ及び内壁側取付部３４の突起部３４ｂは、保持機構２０を取り付ける時の取り付けの位置合わせの面としても機能する。
【００６９】
被覆部材昇降ユニット１０の保持機構２０は、上述のように構造体支持部材４の上縁固定部４ｃの内側で、かつ内壁６の外側に設けられている。また、被覆部材昇降ユニット１０は、透過構造体３の内側に設けられ、保持機構２０は、第２開口６ａよりも上の位置に設けられている。具体的には、保持機構２０の下端位置は、第２開口の上端位置よりも高い。上述した保持機構２０は、外壁５、内壁６、及び横額縁１３によって覆われている。
【００７０】
保持機構２０は、第２開口６ａの上端部及び横額縁１３よりも上で上縁固定部４ｃに固定されている。
【００７１】
以上説明したように、外壁５、内壁６、及び横額縁１３によって室内側から保持機構２０を覆うことができるため、保持機構２０が内壁６の内側に露出している場合と比較して、壁構造１の見栄えを向上することができる。
【００７２】
また、既存の構成（外壁５、内壁６、及び外壁側横額縁１３ｂ）を利用して保持機構２０を覆うことができるため、コストを増加することなく壁構造１の見栄えを向上することができる。
【００７３】
また、本実施形態によれば、以下の効果を奏することができる。
【００７４】
横額縁１３（外壁側横額縁１３ｂ）を取り外すことにより被覆部材昇降ユニット１０を下側に開放することができるため、被覆部材昇降ユニット１０をメンテナンスしやすい。
【００７５】
また、被覆部材昇降ユニット１０を壁構造本体から取り外すことができるため、被覆部材昇降ユニット１０をメンテナンスしやすい。
【００７６】
保持機構２０が内壁６の外側から内壁６を保持するため、保持機構２０によって内壁６の横側の強度を高めることができる。
【００７７】
ユニット側固定部３３に対して、被覆部材２２を保持するユニット側被取付部３９を内壁側に移動させることにより、被覆部材２２と内壁６との間の幅が狭められるため、この幅を介して室内から保持機構２０をさらに視認しにくくすることができる。なお、内壁６と被覆部材２２との間を内壁側横額縁１３ａで覆ってもよい。一方、上記ユニット側固定部３３の移動により上縁固定部４ｃと被覆部材２２の間の幅が広がるが、この幅は、外壁側横額縁１３ｂによって覆われるため、保持機構２０を室内から視認しにくくすることができる。
【００７８】
しかも、保持機構２０の幅（ユニット側固定部３３の外側とユニット側被取付部３９の内側との間の距離）を縮小することができるため、ユニット側固定部３３の外側を上縁固定部４ｃに、ユニット側被取付部３９の内側を内壁６に、それぞれ接触させることなく、被覆部材昇降ユニット１０をスムーズに取りつけることができる。
【００７９】
なお、本発明は、前記実施形態に限定されるものではなく、例えば、以下の態様を採用することもできる。
【００８０】
実施形態では、保持機構２０の着脱が許容されているが、保持機構２０は壁構造１に固定されていてもよい。この場合、横額縁１３は壁構造１に固定されていてもよい。
【００８１】
また、実施形態では、保持機構２０が上縁固定部４ｃ及び内壁側取付部３４のいずれにも着脱可能に固定されている形態を示しているが、保持機構２０は上縁固定部４ｃ又は内壁側取付部３４のいずれか一方に着脱可能に固定されていてもよい。また、これらの固定は、着脱可能でなくてもよい。
【００８２】
内壁６の強度を担保できる場合は、ボルトＢ７及び内壁側取付部３４を省略して、保持機構２０を内壁６から離すこともできる。
【００８３】
実施形態では、ユニット側固定部３３の上側固定部３３ａは、ボルトＢ５（図２）によって平面部材３２の突出部３２ａと着脱可能に固定されているが、ボルトＢ８によってユニット側固定部３３が上縁側固定部３１と固定されているため、ボルトＢ５又はボルトＢ８のいずれか一方を省略することもできる。
【００８４】
実施形態では、上側固定部３３ａの上面にナット固定部３５を取り付けているが、ナット固定部３５を省略してもよい。この場合、ナット固定部３５を固定するためのリベット（符号省略）も不要となる。
【００８５】
被覆部材２４としては、スクリーン、ブラインド、カーテン等のように透過構造体を覆うことができるものを適宜用いることができる。
【００８６】
実施形態においては、モーター（駆動機構）２６によって被覆部材２４を昇降させる形態を示しているが、モーター（駆動機構）２６を用いず手動で被覆部材２４を昇降させてもよい。この場合、ケーブル２７の一端は手繰り寄せるための手段が外部に露出されていてもよい。
【符号の説明】
【００８７】
Ｏ    開口部
１    壁構造
３    透過構造体
４    構造体支持部材
４ｃ    上縁固定部
５    外壁
５ａ    第１開口
６    内壁
６ａ    第２開口
１０    被覆部材昇降ユニット
１３    横額縁
１３ａ    内壁側横額縁
１３ｂ    外壁側横額縁
１３ｃ    金属片（横額縁側取付部の一例）
１５、１６    透過部材（障子）
２０    保持機構
２４    被覆部材
２６    モーター（駆動機構の一例）
３３    ユニット側固定部
３３ｅ    第１接触面
３３ａ’    スライド穴
３４    内壁側取付部
３５    ナット固定部
３５ａ    スライド穴
３８    マグネット（ユニット側取付部の一例）
３９    ユニット側被取付部
３９ｅ    第２接触面
【図１】
2016160709.tif 000003
【図２】
2016160709.tif 000004
【図３】
2016160709.tif 000005
【図４】
2016160709.tif 000006
【図５】
2016160709.tif 000007
【図６Ａ】
2016160709.tif 000008
【図６Ｂ】
2016160709.tif 000009
【図６Ｃ】
2016160709.tif 000010